(57)【要約】【課題】少なくとも２つの光源３０からの光束を近接させ、回転反射鏡３５に入射させて感光体３９を走査させるようにした画像形成装置において、光束を回転反射鏡の反射面３５に集光させるシリンドリカルレンズ１１を小型に構成し、コストダウンを可能とするようにした画像形成装置を提供することが課題である。【解決手段】シリンドリカルレンズ１１の支持部材１０に設けられたシリンドリカルレンズ押さえバネ１２が、シリンドリカルレンズ１１に入射する光束の光路を両側に振り分けられる位置でシリンドリカルレンズ１１を押さえるように構成した。【選択図】  図１
2007293304.tif 000002
【特許請求の範囲】
【請求項１】
少なくとも２つの光源と、前記光源のうちの一の光源からの光束に他の光源からの光束を近接させる光学部材と、互いに近接した前記光束を回転反射鏡の反射面に結像させるシリンドリカルレンズと、前記回転反射鏡の反射面で反射された各光束を感光体上に結像させる走査光学系とを有する画像形成装置であって、
前記シリンドリカルレンズの支持部材に設けられたシリンドリカルレンズ押さえ部材の押圧位置が、前記シリンドリカルレンズに入射する前記光束の各光路を両側に振り分けられる押圧位置であることを特徴とする画像形成装置。
【請求項２】
前記押圧位置における押圧方向が、前記シリンドリカルレンズにおける前記支持部材に当接する２面の方向であることを特徴とする請求項１に記載した画像形成装置。
【請求項３】
前記シリンドリカルレンズ押さえ部材の押圧部位を弾性体で形成し、前記シリンドリカルレンズにおける凸面側を押圧して、前記支持部材に当接する２面の方向に押圧分力が生じるようにしたことを特徴とする請求項１に記載した画像形成装置。
【請求項４】
前記シリンドリカルレンズより上流の光学系は、前記シリンドリカルレンズの長手方向における前記シリンドリカルレンズ押さえ部材両側に前記光束が入射するよう構成されていることを特徴とする請求項１に記載した画像形成装置。
【請求項５】
前記押圧位置における２面の押圧方向が、前記２つの光束の光軸方向と、前記支持部材におけるシリンドリカルレンズ載置面側に近接する方向とに分力が生じるよう押圧していることを特徴とする請求項４に記載した画像形成装置。
【請求項６】
前記シリンドリカルレンズ支持面が２つの光束と平行な面であり、前記支持部材が前記支持面（以下、位置決めリブと称する）と、前記２つの光束の出射面との２つの直交座標面からなる直角補強材であることを特徴とする請求項１に記載した画像形成装置。
【請求項７】
前記シリンドリカルレンズを載置して位置決めする位置決めリブと、前記シリンドリカルレンズ押さえ部材とは、光学要素固定装置に立設されていることを特徴とする請求項１に記載した画像形成装置。
【請求項８】
少なくとも２つの光源と、前記光源のうちの一の光源からの光束に他の光源からの光束を近接させる光学部材と、互いに近接した前記光束を回転反射鏡の反射面に結像させるシリンドリカルレンズと、前記回転反射鏡の反射面で反射された各光束を感光体上に結像させる走査光学系とを有する走査光学ユニットであって、
前記シリンドリカルレンズの支持部材に設けられたシリンドリカルレンズ押さえ部材の押圧位置が、前記シリンドリカルレンズに入射する前記光束の各光路を両側に振り分けられる押圧位置であることを特徴とする走査光学ユニット。
【請求項９】
少なくとも２つの光源と、前記光源のうちの一の光源からの光束に他の光源からの光束を近接させる光学部材と、互いに近接した前記光束を回転反射鏡の反射面に結像させるシリンドリカルレンズと、前記回転反射鏡の反射面で反射された各光束を感光体上に結像させる走査光学系とを有する走査光学ユニットであって、
前記シリンドリカルレンズの支持部材に設けられたシリンドリカルレンズ押さえ部材の押圧位置が、前記シリンドリカルレンズに入射する２つの光束の光路を両側に振り分けられる押圧位置であり、且つ、該押圧位置における押圧方向が、前記シリンドリカルレンズにおける前記支持部材に当接する２面の方向であることを特徴とする走査光学ユニット。
【請求項１０】
少なくとも２つの光源と、前記光源のうちの一の光源からの光束に他の光源からの光束を近接させる光学部材と、互いに近接した前記光束を結像させるレンズとを備え、
前記レンズの支持部材に設けられたレンズ押さえ部材の押圧位置が、前記レンズに入射する前記光束の各光路を両側に振り分けられる押圧位置であることを特徴とする光学部材。
【発明の詳細な説明】
【技術分野】
【０００１】
本発明は、電子写真方式を利用した複写機、プリンタ、ファクシミリ、それらの複合機などの画像形成装置と走査光学ユニットに係り、特に、回転ミラーによって光源からの光を偏向し、感光体上を走査できるようにした光学系を有する画像形成装置と該画像形成装置に用いられる走査光学ユニットに関するものである。
【背景技術】
【０００２】
電子写真方式を利用した複写機、プリンタ、ファクシミリ、それらの複合機などの画像形成装置においては、高画質化、高速化、コンパクト化、低コスト化が要望され、高品質な画像形成と１枚当たりの画像形成時間の短縮、構成の簡素化、部品点数の減少などが必要になっている。
【０００３】
このうち高画質化については、光源からの光束の径を極小化させることによる画素の高精細化が行われ、また、高速化については、感光体の光軸方向の走査（以下主走査方向と称する）に対し、感光体の周方向（以下副走査方向と称する）に複数の光源からの光を結像させて同時に複数ライン分走査できるようにし、それによって画像形成時間を短縮できるようにした画像形成装置が提案されている。
【０００４】
例えば特許文献１には、複数の発光手段と、進行方向の異なる複数の光ビームの光軸合わせを行う偏光ビームスプリッタなどの光ビーム合成手段と、光軸合わせされた複数の光ビームを偏向する偏向手段と、偏向された複数の光ビームを被走査面に結像させる結像手段と、前記複数の光ビームのうちの少なくとも１つを副走査方向に偏向する、中空マイクロステップモータで回転できるようにしたウェッジプリズムと、光ビームの副走査方向への移動量を測定する測定手段としての、位置調整スリットユニットとを備えたマルチビーム合成走査記録装置が示されている。
【０００５】
また、特許文献２には、図６（Ａ）に概略を示したように、２つのレーザダイオード等からなる光源７０を用い、コリメータレンズ７１で光束を略平行光束とした後、平行平板ガラス７２で副走査方向の結像位置の微調と、ウェッジプリズム７３で回転反射鏡の反射面７５への入射角度の微調を行えるようにし、アパーチャにより成型して一方の光束を三角プリズムや断面が略平行四辺形であるプリズム７４に入射させ、内部反射面で光路を変更することで、互いの光束を近接させてシリンドリカルレンズ７７で集光し、所定のチルト角で回転反射鏡の反射面７５に入射するようにした光学走査装置が示されている。
【０００６】
そしてここで用いられるシリンドリカルレンズ７７は、例えばシリンドリカルレンズ支持部材７８を光の入射側から見た図６（Ｂ）の斜視図と、光の射出側から見た図６（Ｃ）の斜視図に示したように、中央近傍を２つの光束が通過できるよう、シリンドリカルレンズ７７の両端を、シリンドリカルレンズ支持枠８１に設けられたシリンドリカルレンズ押さえバネ７９、８０で押さえて支持していた。
【特許文献１】特開２００２−２２８９５９号公報
【特許文献２】特開２００４−２５８１７３号公報
【発明の開示】
【発明が解決しようとする課題】
【０００７】
しかしながら、特許文献１に示されたマルチビーム合成走査記録装置では、複数の光源からの光束を光偏向器近傍で交差させるビーム合成手段として、λ／２板と偏光ビームスプリッタとを併用しており、ビームスプリッタの偏向面において光強度が各光束で半分となるため、光源の光強度を増強させる必要がある。また、画像形成装置を高速とすると、それだけ感光体上の走査時間が短くなるため強度の大きな光源を使う必要があるが、このようにビームスプリッタで光量が減少する場合、さらに大きな強度の光源が必要となって、それだけ電力を要すると共に光源の発熱に対する対策が必要になってくる。
【０００８】
それに対して特許文献２に示された光学走査装置では、プリズムや反射鏡による光の減衰率が小さいため、ビームスプリッタを使用した時のように大きな光強度減衰は起こらず、大きな強度や電力を要する光源は必要ない。しかしこの場合、感光体上を走査するための光偏向器たる回転反射鏡の反射面７５へ各光源７０からの光を集光させる光学部材（例えばシリンドリカルレンズ７７）は、それぞれの光束が離れていると（すなわち、反射面へ入射する各光束同士の交差角が大きいと）、各光源に対して個々に設けるか若しくは大きな口径のレンズを用いる必要が生じるから、光束をなるべく近接させることが好ましい。
【０００９】
しかし、この交差角をあまり小さくし過ぎると、今度は図６（Ａ）に示したように、偏向手段であるプリズム７４の角が他方の光路の光束と干渉し、ケラレが発生して被走査面上において所望の光スポットが得られない可能性が生じる。そのためこの交差角は、プリズム７４などによるけられが生じない角度が好ましいが、それだけシリンドリカルレンズ７７を大きくせねばならない。
【００１０】
また、前記図６（Ｂ）、（Ｃ）で説明したように、シリンドリカルレンズ７７を支持するシリンドリカルレンズ支持部材７８は、レンズ長手方向の両端をシリンドリカルレンズ押さえバネ７９、８０によって押さえるような構成としてあるため、この押さえバネによって押さえる部分を確保するため、このシリンドリカルレンズ７７をさらに長手方向に大きくしなければならず、それだけスペースを要すると共にコストアップに繋がるという問題があった。こういったことを解消するためには、シリンドリカルレンズ７７を各光源に対応させて設けることも考えられるが、この場合部材点数が増えてコストアップとなってしまう。
【００１１】
そのため本発明においては、少なくとも２つの光源を有し、両光束を近接させて回転反射鏡に入射させて感光体上の副走査方向に結像させ、同時に主走査方向に走査できるようにした光学系を有する画像形成装置において、光源から出射された光束を光量損失や光偏向素子としての回転反射鏡の大型化を招くことなく、各光束に対する感光体上での有効走査範囲を確保できるようにし、かつ、両光束を回転反射鏡の反射面に集光させるシリンドリカルレンズも小型に構成して、コストダウンを可能とするようにした画像形成装置と該画像形成装置に用いられる走査光学ユニットを提供することが課題である。
【課題を解決するための手段】
【００１２】
上記課題を解決するため本発明になる画像形成装置は、
少なくとも２つの光源と、前記光源のうちの一の光源からの光束に他の光源からの光束を近接させる光学部材と、互いに近接した前記光束を回転反射鏡の反射面に結像させるシリンドリカルレンズと、前記回転反射鏡の反射面で反射された各光束を感光体上に結像させる走査光学系とを有する画像形成装置であって、
前記シリンドリカルレンズの支持部材に設けられたシリンドリカルレンズ押さえ部材の押圧位置が、前記シリンドリカルレンズに入射する前記光束の各光路を両側に振り分けられる押圧位置であることを特徴とする。
【００１３】
また同様に、本発明になる該画像形成装置に用いられる走査光学ユニットは、
少なくとも２つの光源と、前記光源のうちの一の光源からの光束に他の光源からの光束を近接させる光学部材と、互いに近接した前記光束を回転反射鏡の反射面に結像させるシリンドリカルレンズと、前記回転反射鏡の反射面で反射された各光束を感光体上に結像させる走査光学系とを有する走査光学ユニットであって、
前記シリンドリカルレンズの支持部材に設けられたシリンドリカルレンズ押さえ部材の押圧位置が、前記シリンドリカルレンズに入射する前記光束の各光路を両側に振り分けられる押圧位置であることを特徴とする。
【００１４】
さらにこの走査光学ユニットは、
少なくとも２つの光源と、前記光源のうちの一の光源からの光束に他の光源からの光束を近接させる光学部材と、互いに近接した前記光束を回転反射鏡の反射面に結像させるシリンドリカルレンズと、前記回転反射鏡の反射面で反射された各光束を感光体上に結像させる走査光学系とを有する走査光学ユニットであって、
前記シリンドリカルレンズの支持部材に設けられたシリンドリカルレンズ押さえ部材の押圧位置が、前記シリンドリカルレンズに入射する２つの光束の光路を両側に振り分けられる押圧位置であり、且つ、該押圧位置における押圧方向が、前記シリンドリカルレンズにおける前記支持部材に当接する２面の方向であることを特徴ととしてもよく、
また、光学部材として、
少なくとも２つの光源と、前記光源のうちの一の光源からの光束に他の光源からの光束を近接させる光学部材と、互いに近接した前記光束を結像させるレンズとを備え、
前記レンズの支持部材に設けられたレンズ押さえ部材の押圧位置が、前記レンズに入射する前記光束の各光路を両側に振り分けられる押圧位置であることを特徴としてもよい。
【００１５】
このように光源のうちの一の光源からの光束に他の光源からの光束を近接させる光学部材を用いて光源からの光束を近接させ、シリンドリカルレンズ支持部材に設けられたシリンドリカルレンズ押さえ部材が、シリンドリカルレンズに入射する光束の光路を両側に振り分けられる位置でシリンドリカルレンズを押さえるように構成することで、シリンドリカルレンズに至る光路中で光量損失が生じることが無く、光偏向素子としての回転反射鏡の大型化を招くことなく各光束に対する感光体上での有効走査範囲を確保することができる。
【００１６】
またシリンドリカルレンズは、前記押圧位置における押圧方向が、前記シリンドリカルレンズにおける前記支持部材に当接する２面の方向であるようにしたことで、単一の押さえ部材で確実に固定され、長手方向の両端を前記した従来の光学走査装置のように大きくする必要がないから、それだけ小さなシリンドリカルレンズとすることができ、スペース的にも、コスト的にも有利な画像形成装置と該画像形成装置に用いられる走査光学ユニットとすることができる。
【００１７】
また、前記シリンドリカルレンズ押さえ部材の押圧部位を弾性体で形成し、前記シリンドリカルレンズにおける凸面側を押圧して、前記支持部材に当接する２面の方向に押圧分力が生じるようにしたことで、単一の押さえ部材でシリンドリカルレンズはガタ付くことなく、しっかりとシリンドリカルレンズ支持部材に支持される。
【００１８】
さらに、前記シリンドリカルレンズより上流の光学系は、前記シリンドリカルレンズの長手方向における前記シリンドリカルレンズ押さえ部材両側に前記光束が入射するよう構成することで、シリンドリカルレンズ押さえ部材によるけられも確実に防止することができる。
【００１９】
そして、前記押圧位置における２面の押圧方向が、前記２つの光束の光軸方向と、前記支持部材におけるシリンドリカルレンズ載置面側に近接する方向とに分力が生じるよう押圧していることで、シリンドリカルレンズは光軸に対しても偏倚することなく固定することができる。
【００２０】
また、前記シリンドリカルレンズ支持面が２つの光束と平行な面であり、前記支持部材が前記支持面（以下、位置決めリブと称する）と、前記２つの光束の出射面との２つの直交座標面からなる直角補強材とし、また、前記シリンドリカルレンズを載置して位置決めする位置決めリブと、前記シリンドリカルレンズ押さえ部材とは、光学要素固定装置に立設するようにすることで、シリンドリカルレンズとその押さえ部材を非常に簡単に構成することができる。
【発明の効果】
【００２１】
以上記載のごとく本発明の画像形成装置と該画像形成装置に用いられる走査光学ユニットは、複数の光源のうちの一の光源からの光束に他の光源からの光束を近接させる光学部材を配したことで、シリンドリカルレンズに至る光路中で光量損失が生じることが無く、光偏向素子としての回転反射鏡の大型化を招くことなく各光束に対する感光体上での有効走査範囲を確保できる。また、シリンドリカルレンズに入射する光束の光路を両側に振り分けられる位置でシリンドリカルレンズを押さえるよう構成したことで、シリンドリカルレンズは長手方向の両端を大きくする必要がなく、また、押圧位置における押圧方向が、シリンドリカルレンズが前記支持部材で支持される２面の方向となるようにしたことで、シリンドリカルレンズは単一の押さえ部材で確実に固定され、長手方向の両端を前記した従来の光学走査装置のように大きくする必要がないから、それだけ小さなシリンドリカルレンズとすることができ、スペース的にもコスト的にも有利な画像形成装置と該画像形成装置に用いられる走査光学ユニットとすることができる。
【発明を実施するための最良の形態】
【００２２】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【００２３】
図１は本発明になる画像形成装置に用いられる走査光学系を構成する、シリンドリカルレンズとその支持部材を光の入射側から見た斜視図（Ａ）と光の射出側から見た斜視図（Ｂ）、図２はシリンドリカルレンズとその支持部材の上面図（Ａ）と、この上面図に示したＡ−Ａ線における断面図（Ｂ）とＢ−Ｂ線における断面図（Ｃ）、図３は走査光学系を構成する光学部材の構成を示した概略図、図４は本発明になる画像形成装置に用いられる走査光学系ユニットの上面図（Ａ）と感光体までの光路を示した図（Ｂ）、図５は本発明になる画像形成装置の概略断面図である。
【００２４】
最初に図５に基づき、本発明になる画像形成装置５０を簡単に説明すると、図示していない制御装置から送られてくる画像形成指示により、まず感光体５１が帯電装置５２によって一様に帯電される。そして、ポリゴンミラー３５などの回転反射鏡と反射ミラー３６などで構成される走査光学ユニット６１の、ポリゴンミラー３５に画像信号によって変調された光が送られて反射、偏向され、さらに反射ミラー３６で反射されて感光体５１が走査され、感光体５１上に静電潜像が形成される。
【００２５】
この静電潜像は、現像装置５５によって現像されてトナー画像となり、用紙トレイ５６から送られてくる用紙に転写装置５７によって転写される。そして用紙上のトナー画像が定着装置５８によって定着され、用紙排出部５９に排出されて、感光体５１上に残った残トナーがクリーニング装置６０でクリーニングされて画像形成が終了する。
【００２６】
このうち、３５で示したポリゴンミラーや３６で示した反射ミラー、及びその他の光学部材を搭載した走査光学ユニット６１の詳細を示したのが図４である。この図４において図５と同様な構成要素には同一番号が付してあり、３０はレーザダイオード等を用いた光源で、この図４の例では２つ用いられている。この光源３０から射出された光束は、前記図６でも説明したようにコリメータレンズ３１で平行光束とされ、平行平板ガラス３２で副走査方向の結像位置の微調と、ウェッジプリズム３３により、ポリゴンミラー３５への入射角度の微調を行えるようになっている。
【００２７】
またこの光束は、図示していないアパーチャにより成型され、一方の光束が三角プリズムや断面が略平行四辺形であるプリズム３４で構成される光学部材に入射する。そして、プリズム３４による内部反射面で光路を変更されて互いの光束が近接され、シリンドリカルレンズ１１により、所定のチルト角でポリゴンミラー３５の反射面に入射する。そしてこのポリゴンミラー３５で反射された光束は、第１ｆθレンズ３７、第２ｆθレンズ３８で略等速とされ、反射鏡３６で反射されて、図４（Ｂ）に３９で示した感光体の被走査面を走査するようになっている。
【００２８】
また、光源３０からポリゴンミラー３５までの光路を更に詳細を示したのが図３である。この図３においても図４と同様な構成要素には同一番号が付してあり、レーザダイオード等を用いた光源３０は２つ用いられている。そして、この光源３０からの光束は、コリメータレンズ３１で平行光束とされ、平行平板ガラス３２で副走査方向の結像位置の微調と、ウェッジプリズム３３によるポリゴンミラー３５への入射角度の微調が行われ、アパーチャによって成型された後、一方の光束が三角プリズムや断面が略平行四辺形であるプリズム３４に入射して互いの光束が近接する。
【００２９】
そしてシリンドリカルレンズ１１を介して、所定のチルト角でポリゴンミラー３５の反射面に入射するが、このシリンドリカルレンズ１１を、その支持部材（光学要素固定装置）と共に示したのが図１であり、さらに図２は、そのシリンドリカルレンズ１１の支持機構を詳細に示した上面図と断面図である。
【００３０】
まず、図１（Ａ）はシリンドリカルレンズ１１とその支持部材１０を光の入射側から見た斜視図であり、（Ｂ）は同じく光の射出側から見た斜視図である。このシリンドリカルレンズ支持部材１０は、略長方形の底板１７（図２（Ａ）参照、図１には図示せず）にシリンドリカルレンズ支持枠１３が立設され、位置決めリブ１４（図２（Ｃ）参照、図１には図示せず）にシリンドリカルレンズ１１が載置されるようになっている。そしてシリンドリカルレンズ１１は、そのほぼ中央をシリンドリカルレンズ支持枠１３に設けられた、少なくとも押圧部位が弾性体で構成された押さえバネ１２に押さえられて支持され、これら底板１７、支持枠１３、位置決めリブ１４などで光学要素固定装置が構成されている。そのため、前記図３、図４に示した光源３０から射出されて平行光束とされた光束は、図１（Ａ）に示したように、押さえバネ１２の両側に振り分けられて、１８、１９で示したような光束となって入射するようになっている。
【００３１】
図２は、このシリンドリカルレンズ支持部材１０を含む光学要素固定装置の上面図（Ａ）と、Ａ−Ａ線における断面図（Ｂ）、及びＢ−Ｂ線における断面図（Ｃ）である。図１で説明したように、シリンドリカルレンズ１１は、底板１７に立設されたシリンドリカルレンズ支持枠１３の、図２（Ｂ）、（Ｃ）に１４で示した位置に設けられた位置決めリブに載置され、そのほぼ中央をシリンドリカルレンズ支持枠１３に設けられた押さえバネ１２に押さえられて支持されている。そして、シリンドリカルレンズ押さえバネ１２は、その詳細を図２（Ｃ）の断面図に示したように、シリンドリカルレンズ１１における凸側を、支持部材１０での位置決めリブ１４と支持枠１３とで支持される２面側、すなわち光軸方向と前記リブ１４の方向との両方向に分力が生じるよう押圧している。
【００３２】
そのためシリンドリカルレンズ１１は、ガタ付くことなくしっかりとシリンドリカルレンズ支持部材１０に支持される。そしてこのシリンドリカルレンズ支持部材１０は、図２（Ａ）に示したように、底板１７に設けられた位置決めビス用孔１５に通したビス１６で、画像形成装置本体に固定されるようになっている。
【００３３】
このようにシリンドリカルレンズ支持部材１０を構成することで、シリンドリカルレンズ１１における長手方向の両端を、前記した従来の光学走査装置のように大きくする必要がないから、それだけ小さなシリンドリカルレンズ１１とすることができ、スペース的にもコスト的にも有利な画像形成装置とすることができる。
【００３４】
また、シリンドリカルレンズ押さえバネ１２は、シリンドリカルレンズ支持部材１０の位置決めリブ１４に載置されたシリンドリカルレンズ１１における凸側を、光軸方向とリブ１４の方向との両方向に分力が生じるよう押圧していることで、シリンドリカルレンズ１１はガタ付くことなく、しっかりとシリンドリカルレンズ支持部材１０に支持することができる。
【００３５】
なお、上記説明では、光源が２つの場合を例に説明したが、２以上であっても同様の構成を採用することができる。例えば、押圧部材（シリンドリカルレンズ押さえバネ１２）に対して、左右に２つずつ、あるいは３つずつの光源を配置し、中央部付近の光源を基準として、他の光源を基準光源に対して近接するようそれぞれの光源に光学部材を配置させる、といった同様の構成を採用することで光源の数を増加させることができ、より複数の走査ライン数を用いての画像形成を行うようにすることもできる。
【産業上の利用可能性】
【００３６】
本発明によれば、画像形成装置の高画質化、高速化、コンパクト化、低コスト化を達成することができる。
【図面の簡単な説明】
【００３７】
【図１】本発明になる画像形成装置に用いられる走査光学系を構成する、シリンドリカルレンズとその支持部材を光の入射側から見た斜視図（Ａ）と光の射出側から見た斜視図（Ｂ）である。
【図２】シリンドリカルレンズとその支持部材の上面図（Ａ）と、Ａ−Ａ線における断面図（Ｂ）とＢ−Ｂ線における断面図（Ｃ）である。
【図３】本発明になる画像形成装置に用いられる走査光学系を構成する、光学部材の構成を示した概略図である。
【図４】本発明になる画像形成装置に用いられる走査光学系ユニットの上面図（Ａ）と感光体までの光路を示した図（Ｂ）である。
【図５】本発明になる画像形成装置の概略断面図である。
【図６】従来の画像形成装置に用いられる走査光学系を構成する、光学部材の構成を示した概略図（Ａ）と、シリンドリカルレンズとその支持部材を光の入射側から見た斜視図（Ｂ）と光の射出側から見た斜視図（Ｃ）である。
【符号の説明】
【００３８】
１０    シリンドリカルレンズ支持部材
１１    シリンドリカルレンズ
１２    シリンドリカルレンズ押さえバネ
１３    シリンドリカルレンズ支持枠
１４    位置決めリブ
１５    位置決めビス用孔
１６    ビス
１７    底板
【図１】
2007293304.tif 000003
【図２】
2007293304.tif 000004
【図３】
2007293304.tif 000005
【図４】
2007293304.tif 000006
【図５】
2007293304.tif 000007
【図６】
2007293304.tif 000008